(57)【特許請求の範囲】
【請求項１】
ＮＣＵを接続可能な通信端子と、ガス漏れ警報器を接続可能な警報端子と、マイクロコンピュータを備え、
前記マイクロコンピュータは、通信機能とガス漏れ警報器の信号を受付け処理する機能と不完全燃焼警報器の信号を受付け処理する機能と発信器付自動切替調整器の信号を受付け処理する機能とを有し、前記通信端子から入力される信号を通信機能と不完全燃焼警報器機能とに設定変更可能とし、かつ、前記警報端子からの信号をガス漏れ警報器機能と発信付自動切替調整器機能とに設定変更可能とすると共に、
前記通信端子を用いて、前記通信端子と前記警報端子の機能の設定変更を行うことを特徴とするマイコン式ガスメータ。
【請求項２】
ガスメータの動作状態を表示する表示器を有し、前記表示器に前記通信端子及び前記警報端子に接続可能な機器がいずれに設定されているかを表示することを特徴とする請求項１に記載のマイコン式ガスメータ。
【請求項３】
容器リセットスイッチ、テスト遮断スイッチ、遮断弁復帰スイッチを有し、
前記通信端子を不完全燃焼警報器機能に設定変更した場合、前記各スイッチの操作により、前記通信端子を通信機能に設定することを特徴とする請求項１または２に記載のマイコン式ガスメータ。
【発明の詳細な説明】
【技術分野】
【０００１】
本発明は、マイコン式ガスメータの機器接続端子に関するものである。
【背景技術】
【０００２】
従来のマイコン式ガスメータは、ＮＣＵ（信号伝送装置）を接続する通信端子、ガス漏れ警報器を接続する警報器端子の他に、外部機器を接続するための外部端子が設けられていた。
【０００３】
外部端子に接続する機器は不完全燃焼警報器（ＣＯ警報器やその他警報器）と発信器付自動切替調整器である。
【０００４】
この不完全燃焼警報器を接続する端子からの入力信号はマイクロコンピュータで処理されて遮断弁を自動的に閉鎖する目的で用いられる。
【０００５】
また、発信器付自動切替調整器を接続する端子からの入力信号はマイクロコンピュータで処理されて通信端子に指定されたパターン信号を出力する目的で用いられる。
【０００６】
そして、マイコン式ガスメータには、２つの外部端子を設け、不完全燃焼警報器と発信器付自動切替調整器とを個別に接続できるようにしたものと、１つの外部端子を設け、不完全燃焼警報器と発信器付き自動切替調整器とのいずれかを選択使用できるように設定変更可にしたものとがある（例えば、特許文献１参照）。
【０００７】
この特許文献１に記載のものは、図５に示すように、外部端子が１つのものであり、端子盤３０には、通信端子３０ａ、警報端子３０ｂ、外部端子３０ｃ、及びフレームグランドＦＧ、回路グランドＧが設けられている。
【先行技術文献】
【特許文献】
【０００８】
【特許文献１】特開２０１３−４４５６８号公報
【発明の概要】
【発明が解決しようとする課題】
【０００９】
このようにマイコン式ガスメータには通信端子、警報端子の他に外部機器を接続するための外部端子が１つまたは２つあった。
【００１０】
しかしながら、マイコン式ガスメータの小型化や合理的な構成の実現を進めるには端子の数が多いという課題がある。マイコン式ガスメータが備えた通信端子、警報端子、外部機器端子は運用時に必ずしも使用されているものでない。通常、全ての端子を使用されていない場合が多く、メータの持つ機能が十分に活用されておらず、利用者（ガス供給事業者）からすると割高になっている場合がある。但し、ガス供給システムにおけるマイコン式ガスメータの機能としてはいずれも必要な機能であり、どの機能も安易になくしてしまうことができるものではない。
【００１１】
本発明は、上述した課題に鑑みてなされたものであり、外部機器を接続する専用端子をなくしながら、いずれの外部機器をも使用できるようにするものである。
【課題を解決するための手段】
【００１２】
本発明のマイコン式ガスメータは、上記した課題を解決するために、ＮＣＵを接続可能な通信端子と、ガス漏れ警報器を接続可能な警報端子と、マイクロコンピュータを備え、前記マイクロコンピュータは、通信機能とガス漏れ警報器の信号を受付け処理する機能と不完全燃焼警報器の信号を受付け処理する機能と発信器付自動切替調整器の信号を受付け処理する機能とを有し、前記通信端子から入力される信号を通信機能と不完全燃焼警報器機能とに設定変更可能とし、かつ、前記警報端子からの信号をガス漏れ警報器機能と発信付自動切替調整器機能とに設定変更可能としたことを特徴とする。
【発明の効果】
【００１３】
本発明は以上に説明したように構成され、従来より専用で有していた外部機器端子をなくすことができ、マイコン式ガスメータの小型化と合理的な部品構成での実現ができるという効果がある。
【図面の簡単な説明】
【００１４】
【図１】本発明の実施の形態１に係るマイコン式ガスメータの回路ブロック図
【図２】同実施の形態における接続した機器を表す表示器の表示図
【図３】同実施の形態における通信端子の信号をマイクロコンピュータに伝達するインターフェイス回路図
【図４】同実施の形態における警報端子の信号をマイクロコンピュータに伝達するインターフェイス回路図
【図５】従来のマイコン式ガスメータの回路ブロック図
【発明を実施するための形態】
【００１５】
本発明は、ＮＣＵを接続可能な通信端子と、ガス漏れ警報器を接続可能な警報端子と、マイクロコンピュータを備え、前記マイクロコンピュータは、通信機能とガス漏れ警報器の信号を受付け処理する機能と不完全燃焼警報器の信号を受付け処理する機能と発信器付自動切替調整器の信号を受付け処理する機能とを有し、前記通信端子から入力される信号を通信機能と不完全燃焼警報器機能とに設定変更可能とし、かつ、前記警報端子からの信号をガス漏れ警報器機能と発信付自動切替調整器機能とに設定変更可能としたもので、マイクロコンピュータに不完全燃焼警報器機能を設定し通信端子に不完全燃焼警報器を接続することで、また、マイクロコンピュータに発信付自動切替調整器機能を設定し警報端子に発信付自動切替調整器を接続することで、各外部機器の信号を読み込むことができる。また、マイクロコンピュータに通信機能を設定しＮＣＵを接続することでＮＣＵと信号伝達できる。また、マイクロコンピュータにガス漏れ警報器機能を設定し警報端子にガス漏れ警報器を接続することでガス漏れ警報器と信号伝達できるようになる。したがって、通信端子と警報端子の２つの端子より信号の伝達が可能となり、従来のマイコン式ガスメータで備えていた外部機器端子をなくすことができるという作用を有する。
【００１６】
よって、本発明の態様に係るマイコン式ガスメータは、小型で合理的な部品構成のガスメータを提供することができるという効果を奏する。
【００１７】
また、ガスメータの動作状態を表示する表示器を有し、前記表示器に前記通信端子及び前記警報端子に接続可能な機器がいずれに設定されているかを表示することにより、マイクロコンピュータに設定された接続可能な機器が表示部に表示されるので、設置作業者にいずれの機器を接続すればよいかを報知することが可能になり、作業面での利便性を向上させる効果を奏する。
【００１８】
また、前記通信端子から入出力される信号をマイクロコンピュータに伝達する回路網は、接続される機器に関わらず１つであるようにし、ＮＣＵ信号と不完全燃焼警報器信号とでインターフェイス回路を共通にすることで、合理的な回路構成を実現することができる
。
【００１９】
また、前記警報端子から入出力される信号をマイクロコンピュータに伝達する回路網は、接続される機器に関わらず１つであるように、ガス漏れ警報器信号と発信付自動切替調整器信号とでインターフェイス回路を共通にすることで、合理的な回路構成を実現することができる。
【００２０】
以下、本発明の実施の形態について、図面を参照しながら説明する。尚、この実施の形態によって本発明が限定されるものではない。
【００２１】
（実施の形態１）
図１から４を参照して本実施の形態に係るマイコン式ガスメータの構成を説明する。
【００２２】
図１は、本実施の形態に係るマイコン式ガスメータ１の回路ブロック図である。マイコン式ガスメータ１は内部にガスを遮断する遮断弁１１とガス流量を電気信号に変えるガス流量センサ１２と供給されるガスの圧力を計測する圧力センサ１３を有し、各々は同様にマイコン式ガスメータ１に内蔵されたコントローラ２に接続されている。
【００２３】
コントローラ２は、予め設定されたプログラムを実行するマイクロコンピュータ４を備えている。そして、マイクロコンピュータ４に接続された表示器としてのＬＣＤ５（液晶表示パネル）にガスメータの各種の動作状況が表示される。
【００２４】
また、マイクロコンピュータ４にはインターフェイス回路群６を介して前述の遮断弁１１、ガス流量センサ１２、圧力センサ１３が接続されている。更に、インターフェイス回路群６には、感震器２１、容器リセットスイッチ２２、テスト遮断スイッチ２３、遮断弁復帰スイッチ２４、電池電源２５が接続されている。
【００２５】
また、インターフェイス回路群６には、通信端子３ａ、警報端子３ｂが接続されている。通信端子３ａ、警報端子３ｂはフレームグランドＦＧ端子と回路グランドＧ端子と共に端子盤３として構成される。また、通信端子３ａ、警報端子３ｂは＋端子と−端子が対になった構成となっている。
【００２６】
通信端子３ａはＮＣＵを接続する以外にＣＯ警報器等の不完全燃焼警報器も接続する端子としてある。また、警報端子３ｂはガス漏れ警報器を接続する以外に発信付自動切替調整器を接続する端子としてある。
【００２７】
前記のマイクロコンピュータ４のプログラムには、ＮＣＵと信号を伝達する通信機能、ガス漏れ警報器の信号を受付け処理する機能、不完全燃焼警報器（ＣＯ警報器やその他警報器等）の信号を受付け処理する機能、発信付自動切替調整器の信号を受付け処理する機能を有し、マイクロコンピュータ４のメモリに保存されている。また、前記した各端子に接続可能な機器を特定するための設定もマイクロコンピュータ４のメモリに保存されている。
【００２８】
また、マイクロコンピュータ４のプログラムに予め用意された設定では、通信端子３ａに接続された機器をＮＣＵとしてその機能の処理をする動作を行うが、不完全燃焼警報器としての機能に対応するようにも設定を変更可能としてある。
【００２９】
同様に、警報端子３ｂに接続された機器をガス漏れ警報器としてその機能を処理する動作を行うが、発信付自動切替調整器としての機能に対応するようにも設定を変更可能としてある。
【００３０】
具体的には、通信端子３ａにＮＣＵではなく図示しない設定器を接続し、設置作業者が設定器から通信端子３ａ、警報端子３ｂに接続する機器を電文にてプロググラムに指示して、設定をマイクロコンピュータ４のメモリに上書き保存して設定を変更する。
【００３１】
通信端子３ａは予め用意された設定（初期値）が通信機能であるため、設定器からの設定変更が可能である。なお、通信端子３ａの設定を不完全燃焼警報器に変更した後は通信機能が働かなくなるが、容器リセットスイッチ２２、テスト遮断スイッチ２３、遮断弁復帰スイッチ２４を用いた特殊操作により、通信端子３ａに対応する機器の設定を初期値に戻す処理をマイクロコンピュータ４のプログラムに用意しておけば、通信機能を復元することが可能となる。また、通信端子３ａに対応する機器の設定を不完全燃焼警報器に設定した場合でも、設定からの電文指示のみを受付ける処理をプログラムに用意しておけば再度の設定変更は可能となる。
【００３２】
図２は接続した機器を表す表示器の表示図であり、通信端子３ａ及び警報端子３ｂに接続した機器の設定に応じてＬＣＤ５に設定内容を表示し設置作業者に把握させるようになっている。
【００３３】
例えば、図２（イ）に示すように、通信端子３ａを通信機能としてＮＣＵを接続する場合は表示部には専用の表示を行わずに、図２（ロ）に示すように、通信端子３ａに不完全燃焼警報器（従来のマイコン式ガスメータの外部１端子に接続していた機器）を接続する場合は表示部に「外１」という専用の表示をする。
【００３４】
また、図２（ハ）に示すように、警報端子３ｂにガス漏れ警報器通信機能を接続する場合は表示部には専用の表示を行わずに、図２（ニ）に示すように、警報端子３ｂに発信付自動切替調整器（従来のマイコン式ガスメータの外部２端子に接続していた機器）を接続する場合は表示部に「外２」という専用の表示をする。
【００３５】
図３は通信端子３ａの信号をマイクロコンピュータ４に伝達するインターフェイス回路図である。図３（イ）は通信端子３ａにＮＣＵを接続した構成を示す。ＮＣＵ側のトランジスタＱ２は通信を行う際の電源ＶＡを供給し、トランジスタＱ１でメータ側からの信号を受信し、トランジスタＱ３でメータ側に信号を送信する。
【００３６】
メータのコントローラ２の通信端子３ａのインターフェイス回路は、トランジスタ６１でＮＣＵ側からの信号を受信しマイクロコンピュータ４に信号を伝え、トランジスタ６２でＮＣＵ側にマイクロコンピュータ４からの信号を送信する。トランジスタ６３はメータ側からの通信要求の際にＮＣＵにＶＢを電源として信号を伝達（発呼動作）するものである。マイクロコンピュータ４の設定が通信機能に設定されている場合は、上記のインターフェイス回路の各部品を利用し信号の伝達を行うものである。またＺＮＲ６４、コンデンサ６５は端子に入る電気的な外乱を吸収するものであり信号伝達には関与していない。
【００３７】
次に、図３（ロ）は通信端子３ａにＣＯ警報器を接続した構成を示す。ＣＯ警報器等の外部機器は無電圧信号を出力する仕様となっており、例えばフォトカプラＰＣ１のトランジスタ側が接続される。また、図示はしていないが半導体リレー等の接点信号が出力される。
【００３８】
メータのコントローラ２の通信端子３ａのインターフェイス回路は、トランジスタ６１で外部機器側からの信号を受けマイクロコンピュータ４に信号を伝える。マイクロコンピュータ４の設定が不完全燃焼警報器機能に設定されている場合は、上記のインターフェイス回路の各部品を利用し信号の伝達を行うものである。図３において（イ）と（ロ）の通
信端子３ａのインターフェイス回路は同一のものとなっている。
【００３９】
図４は警報端子３ｂの信号をマイクロコンピュータ４に伝達するインターフェイス回路図である。図４（イ）は警報端子３ｂにガス漏れ警報器を接続した構成を示す。ガス漏れ警報器は無電圧信号を出力する仕様となっており、フォトカプラＰＣ２ａのトランジスタ側が接続される。また、メータからの遮断情報を受けるためフォトカプラＰＣ２ｂの発光ダイオード側が並列に接続されている。
【００４０】
メータのコントローラ２の警報端子３ｂのインターフェイス回路は、トランジスタ６７で電源を供給し、トランジスタ６６でガス漏れ警報器からの信号を受けマイクロコンピュータ４に信号を伝える。マイクロコンピュータ４の設定がガス漏れ警報器機能に設定されている場合は、上記のインターフェイス回路の各部品を利用し信号の伝達を行うものである。また、ＺＮＲ６８、コンデンサ６９は端子に入る電気的な外乱を吸収するものであり信号伝達には関与していない。また、ガス漏れ警報器に信号を出力する回路部分は別途あるが記載を省略している。
【００４１】
図４（ロ）は警報端子３ｂに発信付自動切替調整器を接続した構成を示す。発信付自動切替調整器は無電圧信号を出力する仕様となっており、例えば、フォトカプラＰＣ１のトランジスタ側が接続される。また、図示はしていないが半導体リレー等の接点信号が出力される。メータのコントローラ２の警報端子３ｂのインターフェイス回路は、トランジスタ６７で電源を供給し、トランジスタ６６で外部機器側からの信号を受けマイクロコンピュータ４に信号を伝える。マイクロコンピュータ４の設定が発信付自動切替調整器機能に設定されている場合は、上記のインターフェイス回路の各部品を利用し信号の伝達を行うものである。図４において（イ）と（ロ）の警報端子３ｂのインターフェイス回路は同一のものとなっている。
【００４２】
以上のように構成されたマイコン式ガスメータついて、以下その作用について説明する。
【００４３】
通信端子３ａにＮＣＵ等または不完全燃焼警報器のいずれかを接続するようにし、マイクロコンピュータ４にＮＣＵとの通信機能と不完全燃焼警報器機能とのいずれかの切替を設定変更可能にしてあるので、１つの端子（＋と−の一対の端子）で２つの機能のうちから使用環境に応じて機能選択することができる。
【００４４】
警報端子３ｂにガス漏れ警報器または発信付自動切替調整器のいずれかを接続するようにし、マイクロコンピュータ４にガス漏れ警報器機能と発信付自動切替調整器とのいずれかの切替を設定変更可能にしてあるので、１つの端子（＋と−の一対の端子）で２つの機能のうちから使用環境に応じて機能選択することができる。
【００４５】
従って、マイコン式ガスメータに必要とされる４つの機能を２つの端子で機能選択により、使用環境に応じ設置対応することができる。
【００４６】
また、発信付自動切替調整器の接続を警報端子３ｂに割当てているので、通信端子３ａをＮＣＵとの通信機能とすることで、自動切替調整器の警報信号をＮＣＵを介しガス事業者の通信センターに報告することが可能である。
【００４７】
また、選択した機能をＬＣＤ５に表示し報知することで、どの外部機器を接続すべきかが明確に判り、設置作業者の利便性が増し作業効率を向上させることができる。
また、通信端子３ａとマイクロコンピュータ４とのインターフェイス回路、及び警報端子３ｂとマイクロコンピュータ４とのインターフェイス回路が接続される機器に関わらず同
一の回路構成（共通回路）になっているので、コントローラ２を合理的な部品構成で実現することができる。
【００４８】
以上のように、本発明の形態に係るマイコン式ガスメータ１は、その外部接続器の接続構造において、接続端子の数を削減し信号伝達回路を共通化することができ、小型で合理的な部品構成のガスメータを提供することができる。
【００４９】
なお、本形態ではＬＰガス用マイコン式ガスメータの構成において説明したが、都市ガス用マイコン式ガスメータにおいても通信端子と警報端子を有しており、不完全燃焼警報器や複数の警報器との連動動作を実現する際には有効な手段であることは、本形態の作用からも明らかである。
【産業上の利用可能性】
【００５０】
本発明のマイコン式ガスメータの端子接続構造は、外部機器の接続端子の構成を工夫することで合理的なメータ構成を実現できるので、マイコン式ガスメータのみならず、複数の外部接続機器との連携機能を求められるがその活用頻度の少ないような装置に適用可能である。
【符号の説明】
【００５１】
１    マイコン式ガスメータ
３ａ  通信端子
３ｂ  警報端子
４    マイクロコンピュータ
５    ＬＣＤ
６    インターフェイス回路群
【図１】
0006500213.tif 000002
【図２】
0006500213.tif 000003
【図３】
0006500213.tif 000004
【図４】
0006500213.tif 000005
【図５】
0006500213.tif 000006